(57)【特許請求の範囲】
【請求項１】
画像データを入力する共通の入力手段と、該入力手段によって入力された画像データを加工し、その加工された画像データを出力する個別の加工出力手段とを備えるアプリケーションを複数個組み合わせたマルチアプリケーションを実行するマルチアプリケーション実行手段と、
画面を表示する表示手段と、
前記アプリケーションのいずれかにおける設定項目の更新を検出すると、該更新に係る設定項目が入力設定項目か出力設定項目かを判断する判断手段と、
前記判断手段が入力設定項目の更新と判断した場合に、全ての前記アプリケーションについてそれぞれ、検出した更新の内容を前記表示手段に表示させ、前記判断手段が出力設定項目の更新と判断した場合に、前記更新を検出したアプリケーションについて、検出した更新の内容を前記表示手段に表示させるフィードバック表示制御手段とを設けたことを特徴とする画像処理装置。
【請求項２】
前記フィードバック表示制御手段は、前記表示手段に、更新された設定項目のみを表示させることを特徴とする請求項１記載の画像処理装置。
【請求項３】
前記フィードバック表示制御手段による表示内容は更新された設定項目をテキストで表示するものであることを特徴とする請求項１又は２に記載の画像処理装置。
【請求項４】
前記フィードバック表示制御手段による表示内容は更新された設定項目をアイコンで表示するものであることを特徴とする請求項１又は２に記載の画像処理装置。
【請求項５】
画像データを入力する共通の入力手段と、該入力手段によって入力された画像データを加工し、その加工された画像データを出力する個別の加工出力手段とを備えるアプリケーションを複数個組み合わせたマルチアプリケーションを実行するマルチアプリケーション実行手段を備えた画像処理装置が、
前記アプリケーションのいずれかにおける設定項目の更新を検出すると、該更新に係る設定項目が入力設定項目か出力設定項目かを判断する判断手順と、
前記判断手順で入力設定項目の更新と判断した場合に、全ての前記アプリケーションについてそれぞれ、検出した更新の内容を前記画像処理装置が備える表示手段に表示させ、前記判断手順で出力設定項目の更新と判断した場合に、前記更新を検出したアプリケーションについて、検出した更新の内容を前記表示手段に表示させるフィードバック表示制御手順とを実行することを特徴とする表示方法。
【請求項６】
コンピュータに、画像処理装置を制御させ、
画像データを入力する共通の入力手段と、該入力手段によって入力された画像データを加工し、その加工された画像データを出力する個別の加工出力手段とを備えるアプリケーションを複数個組み合わせたマルチアプリケーションを実行するマルチアプリケーション実行手順と、
前記アプリケーションのいずれかにおける設定項目の更新を検出すると、該更新に係る設定項目が入力設定項目か出力設定項目かを判断する判断手順と、
前記判断手順で入力設定項目の更新と判断した場合に、全ての前記アプリケーションについてそれぞれ、検出した更新の内容を前記画像処理装置が備える表示手段に表示させ、前記判断手順で出力設定項目の更新と判断した場合に、前記更新を検出したアプリケーションについて、検出した更新の内容を前記表示手段に表示させるフィードバック表示制御手順とを実行させるためのプログラム。
【発明の詳細な説明】
【技術分野】
【０００１】
この発明は、ファクシミリ装置，プリンタ，コピー機，それらの複合機の画像形成装置を含む画像処理装置と、その画像処理装置における表示方法、およびプログラムに関する。
【背景技術】
【０００２】
従来、ユーザインタフェースを介してユーザから複数の設定値の入力を受け付け、それらの設定値に基づいて画像データに対する各種の処理を行う画像処理装置（例えば、特許文献１参照）があった。
このような画像処理装置では、ユーザが日頃よく使う操作を「定型業務」として登録しておく機能が提供されている。その定型業務では、マルチアプリケーションとして複数のアプリケーションを一括して実行するような設定も登録可能である。例えば、コピーアプリケーションと送信アプリケーションと蓄積アプリケーションの各動作を定型業務として１度の操作で一括して行うことができる。
【０００３】
マルチアプリケーションでは、各アプリケーション毎に入力，加工，出力の各設定項目について細かく設定するための設定画面が用意されており、マルチアプリケーション画面にそれぞれのアプリケーションの設定画面への入り口が用意されている。それば、ユーザがアプリケーションを単体で利用する時と同じ感覚で利用できるようにするためである。
そして、マルチアプリケーションにまとめられた複数のアプリケーションでは、一部の設定項目を共有している場合があるので、あるアプリケーションの設定項目の内容が変更されると、その設定項目の影響を受ける他のアプリケーションの設定項目についても自動的に連動して変更するようにしている。
【特許文献１】特開２００２−３２８７８７号公報
【発明の開示】
【発明が解決しようとする課題】
【０００４】
しかしながら、上述したような従来の画像処理装置では、あるアプリケーションの設定項目の内容の変更によって、他のアプリケーションの設定項目の内容が連動して変更されても、ユーザが各アプリケーション毎の変更内容を容易に確認できないという問題があった。
この発明は上記の点に鑑みてなされたものであり、複数のアプリケーションの内の一部のアプリケーションの設定項目の内容が変更されたときの各アプリケーションにおける設定の変更内容を容易に確認できるようにすることを目的とする。
【課題を解決するための手段】
【０００５】
この発明は上記の目的を達成するため、画像処理装置において、画像データを入力する共通の入力手段と、その入力手段によって入力された画像データを加工し、その加工された画像データを出力する個別の加工出力手段とを備えるアプリケーションを複数個組み合わせたマルチアプリケーションを実行するマルチアプリケーション実行手段と、画面を表示する表示手段と、上記アプリケーションのいずれかにおける設定項目の更新を検出すると、その更新に係る設定項目が入力設定項目か出力設定項目かを判断する判断手段と、上記判断手段が入力設定項目の更新と判断した場合に、全ての上記アプリケーションについてそれぞれ、検出した更新の内容を上記表示手段に表示させ、上記判断手段が出力設定項目の更新と判断した場合に、上記更新を検出したアプリケーションについて、検出した更新の内容を上記表示手段に表示させるフィードバック表示制御手段を設けたものである。
【０００６】
また、上記フィードバック表示制御手段は、上記表示手段に、更新された設定項目のみを表示させるようにするとよい。
さらに、上記フィードバック表示制御手段による表示内容は更新された設定項目をテキストで表示するものとするとよい。また、アイコンで表示するようにしてもよい。
【０００７】
この発明による表示方法は、上記画像処理装置と同様の機能を実現する手順を備える方法である。
この発明によるプログラムは、コンピュータに、上記画像処理装置と同様の機能を実現させるための手順を実行させるためのものである。
【発明の効果】
【０００８】
この発明によれば、複数のアプリケーションの内の一部のアプリケーションの設定項目の内容が変更されたときの各アプリケーションにおける設定の変更内容を容易に確認することができる。
【発明を実施するための最良の形態】
【０００９】
以下、この発明を実施するための最良の形態を図面に基づいて具体的に説明する。
〔実施例〕
図１は、この発明の実施例である画像形成装置のこの発明に係る主要部の機能構成を示すブロック図である。
この画像形成装置は、ファクシミリ装置，プリンタ（印刷装置），コピー機（複写機），複合機を含む画像処理装置であり、ＣＰＵ，ＲＯＭ及びＲＡＭからなるマイクロコンピュータによって実現される主制御部１を備えている。
この画像形成装置では、コピー機能と送信機能と蓄積機能の３つのアプリケーションを備え、それらを定型業務として１つのマルチアプリケーションで一括して行う場合について説明するが、上記３つの機能のアプリケーションのいずれか１つ又は２つを備えた場合、上記３つの機能のアプリケーション以外にさらに他のアプリケーションを備えた場合でも同様に実施することができる。
【００１０】
主制御部１は、ユーザインタフェース部１０と機能実現部２０とを備えている。
ユーザインタフェース部１０は、フィードバック表示制御部１１，設定項目差分判定部１２，コピーアプリケーション設定部１３，送信アプリケーション設定部１４，蓄積アプリケーション設定部１５を備えている。
フィードバック表示制御部１１は、コピー機能と送信機能と蓄積機能の各アプリケーションの設定入力時、入力部２２の入力動作に影響する入力設定項目を入力する入力設定項目表示エリアと、コピー加工部２３，送信加工部２４，蓄積加工部２５の加工動作と、コピー出力部２６，送信出力部２７，蓄積出力部２８の出力動作に影響する出力設定項目を入力する出力設定項目表示エリアとからなるアプリケーション設定画面をそれぞれ表示し、上記マルチアプリケーションの各アプリケーションの入力と加工と出力に対して設定入力された入力設定項目と出力設定項目の内容を含む情報を示すフィードバック表示エリアを有するマルチアプリケーション画面を表示する。
【００１１】
設定項目差分判定部１２は、各アプリケーションの内のいずれかのアプリケーションの設定入力された入力設定項目の内容が変更された場合、その変更に伴って入力設定項目又は出力設定項目の内容が変更された他のアプリケーションについて変更前と変更後の内容の差分を判定する。
さらに、フィードバック表示制御部１１は、各フィードバック表示エリアを設定項目差分判定部１２によって判定された差分に基づく表示内容に変更する。
【００１２】
コピーアプリケーション設定部１３は、コピーアプリケーション設定画面において入力設定項目又は出力設定項目について設定又は変更された内容を入力部２２，コピー加工部２３，又はコピー出力部２６に設定する。
送信アプリケーション設定部１４は、送信アプリケーション設定画面において入力設定項目又は出力設定項目について設定又は変更された内容を入力部２２，送信加工部２４，又は送信出力部２７に設定する。
蓄積アプリケーション設定部１５は、蓄積アプリケーション設定画面において入力設定項目又は出力設定項目について設定又は変更された内容を入力部２２，蓄積加工部２５，又は蓄積出力部２８に設定する。
【００１３】
機能実現部２０は、マルチアプリケーション実行部２１，入力部２２，コピー加工部２３，送信加工部２４，蓄積加工部２５，コピー出力部２６，送信出力部２７，蓄積出力部２８を備えている。
マルチアプリケーション実行部２１は、コピー機能と送信機能と蓄積機能の各アプリケーションのうちの複数個を組み合わせたマルチアプリケーションを実行する。
入力部２２は、図示を省略したスキャナ（画像読取装置）、ネットワークを介した外部装置によって画像データを入力する。スキャナによる画像入力の場合は、入力動作に影響する複数の入力設定項目のそれぞれについて設定された内容で入力する。
【００１４】
コピー加工部２３は、入力部２２によって入力した画像データを、予めコピー加工動作に影響する出力設定項目の内容に基づいてコピー加工する。
送信加工部２４は、入力部２２によって入力した画像データを、予め送信加工動作に影響する出力設定項目の内容に基づいて送信加工する。
蓄積加工部２５は、入力部２２によって入力した画像データを、予め蓄積加工動作に影響する出力設定項目の内容に基づいて蓄積加工する。
【００１５】
コピー出力部２６は、コピー加工部２３によって加工された画像データを、予めコピー出力動作に影響する出力設定項目の内容に基づいて、図示を省略したプリンタによってコピー印刷出力する。
送信出力部２７は、送信加工部２４によって加工された画像データを、予め送信出力動作に影響する出力設定項目の内容に基づいて、図示を省略したネットワーク通信部によるデータ通信、又はファクシミリ通信部によるファクシミリ通信によってデータ送信出力する。
蓄積出力部２８は、蓄積加工部２５によって加工された画像データを、予め蓄積出力動作に影響する出力設定項目の内容に基づいて、図示を省略したハードディスク装置（ＨＤＤ），光ディスク装置を含む記憶装置、ネットワークを介した外部のサーバ装置へ蓄積出力する。
【００１６】
図２は、図１に示した各部のフィードバック表示における作用関係を示す説明図であり、図３は、図１に示した各部のフィードバック表示におけるシーケンスを示す図である。
例えば、ユーザが、図示を省略した操作表示部のマルチアプリケーション画面からコピー設定を選択すると、図３のステップ（図中「Ｓ」で示す）１で、フィードバック表示制御部１１は、マルチアプリケーション実行部２１へコピー設定のコピーアプリケーション（図中「コピーアプリ」と略称する）が選択された信号を送る。そして、操作表示部の画面は、マルチアプリケーション画面からコピー設定画面に遷移（移行）する。
ステップ２で、フィードバック表示制御部１１は、コピーアプリケーション設定部１３へコピー設定画面で入力された信号を送る。
【００１７】
ステップ３で、コピーアプリケーション設定部１３は、入力部２２へコピー設定画面によって入力されたコピー入力設定項目の内容の信号を送る。入力部２２ではその設定内容に入力設定項目が設定される。
また、コピー設定画面によって入力されたコピー加工設定項目があれば、ステップ４で、コピーアプリケーション設定部１３は、コピー加工部２３へコピー設定画面によって入力されたコピー加工設定項目の内容の信号を送り、コピー加工部２３ではその設定内容に入力設定項目が設定される。
【００１８】
ステップ５で、コピーアプリケーション設定部１３は、フィードバック表示制御部１１に設定完了通知を送る。
ステップ６で、フィードバック表示制御部１１は、設定項目差分判定部１２へ差分判定要求を送信し、ステップ７で、設定項目差分判定部１２は、各アプリケーションの内のいずれかのアプリケーションの入力設定項目の変更に伴って、入力設定項目又は出力設定項目の内容が変更された他のアプリケーションについて変更前と変更後の内容の差分を判定し、その差分判定結果であるフィードバック表示更新情報をフィードバック表示制御部１１へ送信する。
ステップ８で、フィードバック表示制御部１１は、マルチアプリケーション画面のフィードバック表示エリアの表示内容を、設定項目差分判定部１２からのフィードバック表示更新情報に基づく表示内容に変更する。
【００１９】
次に、送信アプリケーションについても変更操作があれば、ステップ９で、フィードバック表示制御部１１は、送信アプリケーション設定部１４へ送信設定画面で入力された信号を送る。
ここで、例えば、出力設定項目に変更があったら、ステップ１０で、送信アプリケーション設定部１４は、送信出力部２７へ送信設定画面によって入力された送信出力設定項目の内容の信号を送る。送信出力部２７ではその設定内容に出力設定項目が設定される。
ステップ１１で、送信アプリケーション設定部１４は、フィードバック表示制御部１１に設定完了通知を送る。
【００２０】
ステップ１２で、フィードバック表示制御部１１は、設定項目差分判定部１２へ差分判定要求を送信し、ステップ１３で、設定項目差分判定部１２は、各アプリケーションの内のいずれかのアプリケーションの入力設定項目の変更に伴って、入力設定項目又は出力設定項目の内容が変更された他のアプリケーションについて変更前と変更後の内容の差分を判定し、その差分判定結果であるフィードバック表示更新情報をフィードバック表示制御部１１へ送信する。
ステップ１４で、フィードバック表示制御部１１は、マルチアプリケーション画面のフィードバック表示エリアの表示内容を、設定項目差分判定部１２からのフィードバック表示更新情報に基づく表示内容に変更する。
上述のように、コピー出力，送信加工，蓄積加工，蓄積出力についても上述と同様の処理を行って、フィードバック表示エリアの表示内容の変更表示を行う。
【００２１】
図４は、マルチアプリケーション画面と各アプリケーション設定画面の主要な構成を示す説明図である。
マルチアプリケーション画面３０は、コピー表示エリア３１と、送信表示エリア３２と、蓄積表示エリア３３を表示可能である。
【００２２】
コピー表示エリア３１は、通常はコピー設定項目の内容を表示し、設定項目の内容の変更の際に差分表示内容に変更して表示するコピーフィードバック表示エリア３４を有し、コピー設定画面を表示させるコピー設定のボタン３５が表示される。
送信表示エリア３２は、通常は送信設定項目の内容を表示し、設定項目の内容の変更の際に差分表示内容に変更して表示する送信フィードバック表示エリア３６を有し、送信設定画面を表示させる送信設定のボタン３７が表示される。
蓄積表示エリア３３は、通常は蓄積設定項目の内容を表示し、設定項目の内容の変更の際に差分表示内容に変更して表示する蓄積フィードバック表示エリア３８を有し、蓄積設定画面を表示させる蓄積設定のボタン３９が表示される。
【００２３】
コピーアプリケーション設定画面４０は、入力部２２に対する入力設定項目の各内容を設定するためのエリアであるスキャナ入力設定項目表示エリア４１と、コピー加工部２３とコピー出力部２６に対する出力設定項目の各内容を設定するためのエリアであるコピー出力設定項目表示エリア４２とを有する。
送信アプリケーション設定画面４３は、入力部２２に対する入力設定項目の各内容を設定するためのエリアであるスキャナ入力設定項目表示エリア４４と、送信加工部２４と送信出力部２７に対する出力設定項目の各内容を設定するためのエリアである送信出力設定項目表示エリア４５とを有する。
【００２４】
蓄積アプリケーション設定画面４６は、入力部２２に対する入力設定項目の各内容を設定するためのエリアであるスキャナ入力設定項目表示エリア４７と、蓄積加工部２５と蓄積出力部２８に対する出力設定項目の各内容を設定するためのエリアである蓄積出力設定項目表示エリア４８とを有する。
上記スキャナ入力設定項目表示エリア４１，４４，４７でそれぞれ設定される入力設定項目は、コピーアプリケーション，送信アプリケーション，蓄積アプリケーションの各実行時に共通して使用される。
【００２５】
図５は、マルチアプリケーション画面の一例を示す図である。
例えば、マルチアプリケーションの一例として、グループ１メンバ送信という定型業務が登録されており、このグループ１メンバ送信ではコピーアプリケーション、送信アプリケーション、蓄積アプリケーションを一括して行うものであり、画面上でグループ１メンバ送信フォルダアイコン５０を選択すると、コピー表示エリア３１と、送信表示エリア３２と、蓄積表示エリア３３を含む吹き出し画面が表示される。
このコピー表示エリア３１のコピー設定フィードバック表示エリア３４と、送信表示エリア３２の送信設定フィードバック表示エリア３６と、蓄積表示エリア３３の蓄積設定フィードバック表示エリア３８には、それぞれ現在設定されている設定項目の内容の一部が初期表示内容として表示されている。
【００２６】
そして、コピー表示エリア３１のコピー設定のボタン３５がタッチされると、グループ１メンバ送信の定型業務におけるコピーアプリケーション設定画面が表示され、送信表示エリア３２の送信設定のボタン３７がタッチされると、グループ１メンバ送信の定型業務における送信アプリケーション設定画面が表示され、蓄積表示エリア３３の蓄積設定のボタン３９がタッチされると、グループ１メンバ送信の定型業務における蓄積アプリケーション設定画面が表示される。
【００２７】
図６は、コピーアプリケーション設定画面の一例を示す図である。
このコピーアプリケーション設定画面は、上記グループ１メンバ送信の定型業務におけるコピーアプリケーション設定画面としての表示例であり、その設定画面中にはスキャナ入力設定項目表示エリア４１と、コピー出力設定項目表示エリア４２が含まれている。
図７は、送信アプリケーション設定画面の一例を示す図である。
この送信アプリケーション設定画面は、上記グループ１メンバ送信の定型業務における送信アプリケーション設定画面として表示されている例であり、その設定画面中にはスキャナ入力設定項目表示エリア４４と、送信出力設定項目表示エリア４５が含まれている。
図８は、蓄積アプリケーション設定画面の一例を示す図である。
この蓄積アプリケーション設定画面は、上記グループ１メンバ送信の定型業務における蓄積アプリケーション設定画面として表示されている例であり、その設定画面中にはスキャナ入力設定項目表示エリア４７と、蓄積出力設定項目表示エリア４８が含まれている。
【００２８】
図９は、コピーアプリケーション設定画面と送信アプリケーション設定画面と蓄積アプリケーション設定画面の各入力設定項目と出力設定項目の一例を示す一覧表の図である。
入力設定項目には、原稿セット方向，原稿種類，最終原稿指定，（画像読み取り）済みスタンプを含む各項目があり、出力設定項目の加工については、集約，変倍，画質調整，ドロップアウトカラーを含む各項目があり、出力設定項目の出力については、カラー選択，ステープル，ソート，宛先を含む各項目がある。
【００２９】
図１０は、図１に示した設定項目差分判定部１２における差分判定処理を示すフローチャート図である。
この差分判定処理は、どのアプリケーションのフィードバック表示の際にどの設定項目を表示するのかを管理するフィードバック表示更新情報を作成する。その作成したフィードバック表示更新情報を参照することにより、フィードバック表示制御部１１がマルチアプリケーション画面においてフィードバック表示を行うことになる。
設定項目差分判定部１２は、フィードバック表示制御部１１から差分判定要求があると、ステップ（図中「Ｓ」で示す）２１で、フィードバック表示更新情報を初期化し、ステップ２２で、コピー，送信，蓄積の各アプリケーションについて更新のあった設定項目を抽出し、ステップ２３で、その抽出した更新のあった設定項目は入力設定項目か否かを判断し、入力設定項目なら、ステップ２４で、コピー，送信，蓄積の全アプリケーションに対するフィードバック表示更新情報に、内容が変更された設定項目を表示させるための情報を追加し、ステップ２５へ進む。
【００３０】
一方、ステップ２３の判断で、入力設定項目でなければ、すなわち、出力設定項目なら、ステップ２６で、設定変更のあったアプリケーションに対するフィードバック表示更新情報に、内容が変更された設定項目を表示させるための情報を追加し、ステップ２５へ進む。
ステップ２５では、設定変更された全ての設定項目の抽出を終了したか否かを判断し、終了しなければ、ステップ２２へ戻って上述の処理を繰り返し、終了したら、この処理を終了する。
【００３１】
次に、この画像形成装置におけるフィードバック表示例について説明する。
図１１は、マルチアプリケーション画面におけるフィードバック表示の一例を示す説明図である。
図５に示したマルチアプリケーション画面において、コピー設定のボタン３５がタッチされ、定型業務におけるコピー設定の内容を変更した場合、例えば、カラー選択の出力設定項目をフルカラーから「白黒」に変更した場合、このカラー選択の出力設定項目は、他のアプリケーションにも同じものがあるが、その変更は他のアプリケーションに連動して変更されないものであるから、設定項目差分判定部１２によってフィードバック表示更新情報を、コピー設定フィードバック表示エリア３４のみにカラー選択項目の内容が更新されたことを示す情報に更新し、フィードバック表示制御部１１に送る。
【００３２】
そして、フィードバック表示制御部１１がフィードバック表示更新情報に基づいて、コピー表示エリア３１のコピー設定フィードバック表示エリア３４の表示内容を、カラー選択項目が「白黒」に変更されたことを示すテキスト６０とアイコン６１に変更する。また、送信設定フィードバック表示エリア３６と蓄積設定フィードバック表示エリア３８は空白の表示にする。
したがって、ユーザは、上記フィードバック表示の内容により、コピー設定のカラーモードが白黒に変更されており、その他の送信設定と蓄積設定には影響が無く、それらには変更がないことを一目で確認することができる。
なお、この表示例では、アイコン及びテキストを同時に表示しているが、テキストのみを表示したり、アイコンのみを表示するようにしても良く、その表示形態はユーザが任意に選択することができるようにするとよい。
【００３３】
次に、この画像形成装置におけるフィードバック表示の他の例について説明する。
図１２は、マルチアプリケーション画面におけるフィードバック表示の他の例を示す説明図である。
図５に示したマルチアプリケーション画面において、コピー設定のボタン３５がタッチされ、定型業務におけるコピー設定の内容を変更した場合、例えば、原稿種類を文字・写真から「文字」に変更した場合、この設定項目は、他のアプリケーションの設定にも影響を与え、その変更は他のアプリケーションに連動して変更されるから、設定項目差分判定部１２によってフィードバック表示更新情報を、コピー設定フィードバック表示エリア３４，送信設定フィードバック表示エリア３６，蓄積設定フィードバック表示エリア３８の全てについて設定項目の内容が更新されたことを示す情報に更新し、フィードバック表示制御部１１に送る。
【００３４】
そして、フィードバック表示制御部１１がフィードバック表示更新情報に基づいて、コピー表示エリア３１のコピー設定フィードバック表示エリア３４と、送信表示エリア３２の送信設定フィードバック表示エリア３６と、蓄積表示エリア３３の蓄積設定フィードバック表示エリア３８の表示内容をそれぞれ、原稿種類が「文字」に変更されたことを示すテキスト表示に変更する。
上記テキスト表示の際には、表示色を目立つ色（例えば、赤色）にして表示したり、ブリンクさせて表示したりしてもよい。
したがって、ユーザは、コピー設定の原稿種類の設定内容の変更が、送信設定と蓄積設定にも影響していることを一目で確認することができる。
【００３５】
次に、この画像形成装置におけるフィードバック表示の他の例について説明する。
上記フィードバック表示において、他のアプリケーションの入力設定項目の内容の変更によって影響を受けた入力設定項目又は出力設定項目の有無を記号で表示するようにしても良い。
図１３は、マルチアプリケーション画面におけるフィードバック表示の他の例を示す説明図である。
このマルチアプリケーション画面では、コピー表示エリア３１のコピー設定フィードバック表示エリア３４と、送信表示エリア３２の送信設定フィードバック表示エリア３６と、蓄積表示エリア３３の蓄積設定フィードバック表示エリア３８に初期の表示項目を表示したまま、送信設定フィードバック表示エリア３６と蓄積設定フィードバック表示エリア３８にアスタリスク６２が表示されている。
【００３６】
このアスタリスク６２は、コピー設定の変更によって送信設定と蓄積設定にも変更が生じていることを示す記号である。
なお、この実施例では、アスタリスクを用いた場合を説明したが、その他の記号を用いても良い。その記号は、ユーザが一目で認識できるような目立つ記号にすると良い。また、その大きさも大きめのものにするとなお良い。
このようにすれば、コピー設定の変更に送信設定と蓄積設定内の設定項目も連動して変わったということを把握することができる。
【００３７】
次に、この画像形成装置におけるフィードバック表示の他の例について説明する。
上記フィードバック表示において、表示内容の表示態様を変更元のアプリケーションのフィードバック表示エリアと変更によって影響を受けるアプリケーションのフィードバック表示エリアとで異ならせるようにしてもよい。
図１４は、マルチアプリケーション画面におけるフィードバック表示の他の例を示す説明図である。
【００３８】
この表示例では、コピー表示エリア３１のコピー設定フィードバック表示エリア３４と、送信表示エリア３２の送信設定フィードバック表示エリア３６と、蓄積表示エリア３３の蓄積設定フィードバック表示エリア３８の表示内容をそれぞれ、原稿種類が「文字」に変更されたことを示すテキストが表示されているが、例えば、設定変更元のアプリケーションがコピーの場合、コピー設定フィードバック表示エリア３４の表示内容を黒色のテキスト（図中では、太線で示す）で表示し、コピー設定の変更に影響されて設定内容を変更した変更先のアプリケーションを示すために、送信設定フィードバック表示エリア３６と蓄積設定フィードバック表示エリア３８では赤色のテキスト（図中では、細線で示す）で表示している。
【００３９】
この表示色の違いによって、コピー設定の原稿種類の変更が、送信設定と蓄積設定にも影響していることが一目で分かる。
なお、この実施例では、表示色を変える場合を説明したが、ボールドやイタリックを含む書体を変えたり、一方をブリンク表示させたりしてもよい。
【００４０】
この実施例の画像形成装置は、マルチアプリケーションで使用する全てのアプリケーションに対するフィードバック表示エリアを連動させて制御することにより、アプリケーションに対する設定変更時におけるアプリケーション間の設定内容が連動して変更されたことを容易に確認することができる。
また、フィードバック表示エリアに設定変更された項目のみを表示することにより、どのアプリケーションの、どの設定項目が連動して変更したのかを確認することができる。
さらに、フィードバック表示エリアに変更内容をテキストで表示することにより、ユーザは変更内容を誤認する恐れが無くなる。
また、フィードバック表示エリアに変更内容をアイコンで表示することにより、限られた表示スペースを有効に使って多くの変更項目をユーザが一覧できるように通知することができる。
【００４１】
また、フィードバック表示エリアに設定変更による影響を受けた設定項目が存在するか否かを示した記号を表示することにより、これまでフィードバックを利用してユーザに与えていた情報を失うことなく、何らかの設定項目が連動して変更されたことを確認することができる。また、表示スペースが狭くても変更されたことを表示可能である。
さらに、フィードバック表示エリアのテキストの表示態様（例えば、スタイル）を区別して表示することにより、ユーザはマルチアプリケーション画面を見ただけで、設定項目の内容を変更した変更元アプリケーションとその変更に連動して設定項目の内容を変更した変更先アプリケーションを区別して認識することができる。
【産業上の利用可能性】
【００４２】
この発明は、ファクシミリ装置，プリンタ，コピー機，それらの複合機の画像形成装置を含む画像処理装置、パーソナルコンピュータを含む情報処理装置においても適用することができる。
【図面の簡単な説明】
【００４３】
【図１】この発明の実施例である画像形成装置のこの発明に係る主要部の機能構成を示すブロック図である。
【図２】図１に示す各部のフィードバック表示における作用関係を示す説明図である。
【図３】図１に示す各部のフィードバック表示におけるシーケンスを示す図である。
【図４】マルチアプリケーション画面と各アプリケーション設定画面の主要な構成を示す説明図である。
【００４４】
【図５】マルチアプリケーション画面の一例を示す図である。
【図６】コピーアプリケーション設定画面の一例を示す図である。
【図７】送信アプリケーション設定画面の一例を示す図である。
【図８】蓄積アプリケーション設定画面の一例を示す図である。
【図９】コピーアプリケーション設定画面と送信アプリケーション設定画面と蓄積アプリケーション設定画面の各入力設定項目と出力設定項目の一例を示す一覧表の図である。
【００４５】
【図１０】図１に示す設定項目差分判定部における差分判定処理を示すフローチャート図である。
【図１１】マルチアプリケーション画面におけるフィードバック表示の一例を示す説明図である。
【図１２】マルチアプリケーション画面におけるフィードバック表示の他の例を示す説明図である。
【図１３】マルチアプリケーション画面におけるフィードバック表示の他の例を示す説明図である。
【図１４】マルチアプリケーション画面におけるフィードバック表示の他の例を示す説明図である。
【符号の説明】
【００４６】
１：主制御部    １０：ユーザインタフェース部    １１：フィードバック表示制御部    １２：設定項目差分判定部    １３：コピーアプリケーション設定部    １４：送信アプリケーション設定部    １５：蓄積アプリケーション設定部    ２０：機能実現部    ２１：マルチアプリケーション実行部    ２２：入力部    ２３：コピー加工部    ２４：送信加工部    ２５：蓄積加工部    ２６：コピー出力部    ２７：送信出力部    ２８：蓄積出力部    ３０：マルチアプリケーション画面    ３１：コピー表示エリア    ３２：送信表示エリア    ３３：蓄積表示エリア    ３４：コピーフィードバック表示エリア    ３５：コピー設定のボタン    ３６：送信フィードバック表示エリア    ３７：送信設定のボタン    ３８：蓄積フィードバック表示エリア    ３９：蓄積設定のボタン    ４０：コピーアプリケーション設定画面    ４１：スキャナ入力設定項目表示エリア    ４２：コピー出力設定項目表示エリア    ４３：送信アプリケーション設定画面    ４４：スキャナ入力設定項目表示エリア    ４５：送信出力設定項目表示エリア    ４６：蓄積アプリケーション設定画面    ４７：スキャナ入力設定項目表示エリア    ４８：蓄積出力設定項目表示エリア    ５０：グループ１メンバ送信フォルダアイコン    ６０：テキスト    ６１：アイコン    ６２：アスタリスク
【図１】
0005167886.tif 000002
【図２】
0005167886.tif 000003
【図３】
0005167886.tif 000004
【図４】
0005167886.tif 000005
【図５】
0005167886.tif 000006
【図６】
0005167886.tif 000007
【図７】
0005167886.tif 000008
【図８】
0005167886.tif 000009
【図９】
0005167886.tif 000010
【図１０】
0005167886.tif 000011
【図１１】
0005167886.tif 000012
【図１２】
0005167886.tif 000013
【図１３】
0005167886.tif 000014
【図１４】
0005167886.tif 000015